(57)【要約】      （修正有）【課題】プリキャプチャ機能を用いた撮影をタッチ操作により行う。【解決手段】電子カメラ２は、被写体からの光による像を撮像して撮像信号を出力する撮像素子と、画像を表示する表示部と、表示部におけるタッチ操作を検出する検出部と、撮像素子から繰り返し出力される撮像信号に基づく複数の第１画像信号と複数の第１画像信号から生成した第２画像信号とを生成する生成部と、表示された特定の画像に対する第１のタッチ操作が検出部によって検出されると第２画像信号を生成するモードに設定され、第１のタッチ操作が検出された後に表示部の特定の画像とは異なる場所に対する第２のタッチ操作が検出部によって検出されると、第２のタッチ操作が検出される前に出力された複数の第１画像信号と、第２のタッチ操作が検出された後に出力された複数の第１画像信号と、を含む第２画像信号を生成し、生成した第２画像信号を表示させること可能な制御部と、を備える。【選択図】図１
2019176487.tif 000002
【特許請求の範囲】
【請求項１】
被写体からの光による像を撮像して撮像信号を出力する撮像素子と、
画像を表示する表示部と、
前記表示部におけるタッチ操作を検出する検出部と、
前記撮像素子から繰り返し出力される前記撮像信号に基づく複数の第１画像信号と複数の前記第１画像信号から生成した第２画像信号とを生成する生成部と、
前記表示部に表示された特定の画像に対する第１のタッチ操作が前記検出部によって検出されると前記第２画像信号を生成するモードに設定され、前記第１のタッチ操作が検出された後に前記表示部の前記特定の画像とは異なる場所に対する第２のタッチ操作が前記検出部によって検出されると、前記第２のタッチ操作が検出される前に出力された複数の前記第１画像信号と、前記第２のタッチ操作が検出された後に出力された複数の前記第１画像信号と、を含む前記第２画像信号を生成し、生成した前記第２画像信号前を記表示部に表示させること可能な制御部と、
を備える電子機器。
【請求項２】
前記生成部は、複数の前記第１画像信号に基づいて、単位時間当たりの前記第１画像信号の数を示す第１フレームレートより少ない第２フレームレートで再生されるスローモーション動画像を生成し、複数の前記第１画像信号のうちの一部の画像信号による静止画像を生成し、
前記制御部は、前記生成部により生成された前記スローモーション動画像と前記静止画像とを、互いに関連付けて前記第２画像信号として前記第２記憶部に記憶させる請求項１に記載の電子機器。
【請求項３】
前記生成部は、複数の前記第１画像信号の一部を選択し、選択された前記第１画像信号に基づく静止画像を生成し、
前記制御部は、前記生成部により生成された前記静止画像を前記第２画像信号として記憶部に記憶させる請求項１に記載の電子機器。
【請求項４】
被写体からの光による像を撮像して画像信号を出力する撮像素子と、
前記撮像素子から繰り返し出力される複数の第１画像信号から生成した第２画像信号と画像を表示する表示部と、
前記表示部におけるタッチ操作を検出する検出部と、
前記表示部に表示された特定の画像に対する第１のタッチ操作が前記検出部によって検出されると前記第２画像信号を生成するモードに設定され、前記第１のタッチ操作が検出された後に前記表示部の前記特定の画像とは異なる場所に対する第２のタッチ操作が前記検出部によって検出されると、前記第２のタッチ操作が検出される前に出力された複数の前記第１画像信号と、前記第２のタッチ操作が検出された後に出力された複数の前記第１画像信号と、を含む前記第２画像信号を生成し、生成した前記第２画像信号前を記表示部に表示させること可能な制御部と、
を備える電子機器。
【請求項５】
被写体からの光による像を撮像して撮像信号を出力する撮像素子と、
前記撮像素子から繰り返し出力される前記撮像信号に基づく画像を表示する表示部と、
前記撮像素子からの前記撮像信号に基づく複数の第１画像信号を順次記憶する第１記憶部と、
前記表示部におけるタッチ操作を検出する検出部と、
前記検出部における第１のタッチ操作の検出に基づいて前記第１記憶部に前記第１画像信号の記憶を開始させ、前記第１のタッチ操作が検出された後の前記検出部における第２のタッチ操作の検出に基づいて、前記第１記憶部に記憶された前記第１画像信号による第２画像信号を第２記憶部に記録させる制御部と、
を備える電子機器。
【発明の詳細な説明】
【技術分野】
【０００１】
本発明は、電子機器に関するものである。
【背景技術】
【０００２】
タッチパネルにおけるタッチ操作に基づいて被写体に合焦させる撮像装置が知られている（例えば、特許文献１参照）。この撮像装置においては、タッチ操作が検出されたフォーカスブロックに合焦させ、シャッターボタンが押下されると静止画の撮影を行う。
【先行技術文献】
【特許文献】
【０００３】
【特許文献１】特開２００１−１５９７３０号公報
【発明の概要】
【発明が解決しようとする課題】
【０００４】
ところで、タッチ操作を行う撮像装置において、シャッターボタンの押下前に連写された複数のフレーム画像と、シャッターボタンの押下後に連写された複数のフレーム画像とを記憶部に記憶するプリキャプチャ機能を用いた撮影が求められる場合がある。しかし、上述の特許文献１記載の撮影装置では、プリキャプチャ機能を用いた撮影は考慮されていなかった。
【０００５】
本発明の目的は、プリキャプチャ機能を用いた撮影をタッチ操作により行うことができる電子機器を提供することである。
【課題を解決するための手段】
【０００６】
本発明の電子機器は、被写体からの光による像を撮像して撮像信号を出力する撮像素子と、画像を表示する表示部と、前記表示部におけるタッチ操作を検出する検出部と、前記撮像素子から繰り返し出力される前記撮像信号に基づく複数の第１画像信号と複数の前記第１画像信号から生成した第２画像信号とを生成する生成部と、前記表示部に表示された特定の画像に対する第１のタッチ操作が前記検出部によって検出されると前記第２画像信号を生成するモードに設定され、前記第１のタッチ操作が検出された後に前記表示部の前記特定の画像とは異なる場所に対する第２のタッチ操作が前記検出部によって検出されると、前記第２のタッチ操作が検出される前に出力された複数の前記第１画像信号と、前記第２のタッチ操作が検出された後に出力された複数の前記第１画像信号と、を含む前記第２画像信号を生成し、生成した前記第２画像信号前を記表示部に表示させること可能な制御部と、を備える。
【発明の効果】
【０００７】
本発明の電子機器によれば、プリキャプチャ機能を用いた撮影をタッチ操作により行うことができる。
【図面の簡単な説明】
【０００８】
【図１】第１の実施の形態に係る電子カメラのシステム構成を示すブロック図である。
【図２】第１の実施の形態に係るスローモーション動画像を撮影する際のバッファメモリ記憶時のフレームレート及び記録媒体記録時のフレームレートを説明するための図である。
【図３】第１の実施の形態に係るスローモーション動画像の撮影処理を示すフローチャートである。
【図４】第２の実施の形態に係るスローモーション動画像の撮影処理を示すフローチャートである。
【図５】第３の実施の形態に係るベストショット画像の撮影処理を示すフローチャートである。
【図６】第４の実施の形態に係るスロービュー撮影の撮影処理を示すフローチャートである。
【発明を実施するための形態】
【０００９】
以下、図面を参照して本発明の第１の実施の形態に係る撮像装置としての電子カメラについて説明する。図１は、第１の実施の形態に係る電子カメラのシステム構成を示すブロック図である。図１に示すように電子カメラ２は、マイクロプロセッサ等により構成され、電子カメラ２の各部を統括的に制御する制御部４を備えている。制御部４は、映像信号処理回路５を有し、映像信号処理回路５は、後述する表示部１２において表示されるスルー画像データを生成するスルー画像生成部５ａ、動画像データを生成する動画像生成部５ｂ及び静止画像データを生成する静止画像生成部５ｃを有している。また、制御部４には、撮像素子６、バッファメモリ８、記録媒体１０、表示部１２及びタッチパネル１４が接続されている。
【００１０】
撮像素子６は、ＣＣＤまたはＣＭＯＳ等により構成され、図示しない撮影レンズを介した被写体からの光を撮像し、バッファメモリ８は、撮像素子６から出力され、図示しないＡ／Ｄコンバータを介すことによりアナログ信号からデジタル信号に変換された撮像信号に基づく画像データを一時的に記憶する。
【００１１】
また、バッファメモリ８は、電子カメラ２が例えば、後述のスローモーション動画像（以下、スロー動画像という。）を撮影するスローモーション動画像撮影モードに設定されている場合には、撮像素子６から動画像サイクル（６０ｆｐｓ（フレーム／秒）等）に同期して出力される撮像信号に基づく複数の画像データ、即ちスロー動画像を構成する複数のフレーム画像を順次記憶する。なお、この実施の形態において、バッファメモリ８には、フルハイビジョン（Ｆｕｌｌ  Ｈｉｇｈ  Ｄｉｆｉｎｉｔｉｏｎ：１９２０×１０８０ピクセル）規格の画素数を有するフレーム画像、即ち高解像度のフレーム画像がＦＩＦＯ（ｆｉｒｓｔ  ｉｎ  ｆｉｒｓｔ  ｏｕｔ）方式で順次記憶される。
【００１２】
具体的には、バッファメモリ８が例えばｎ枚（ｎは自然数）のフレーム画像を記憶可能な記憶領域を有している場合において、図２（ａ）に示すように、制御部４は、１番目に取得したフレーム画像Ｆ1、２番目に取得したフレーム画像Ｆ2…ｎ番目に取得したフレーム画像Ｆnと、バッファメモリ８内に順次記憶させる。そして、ｎ枚のフレーム画像Ｆ1〜Ｆnを記憶した後、次のフレーム画像Ｆn+1が出力されると、バッファメモリ８内から最古のフレーム画像Ｆ1を削除し、最新のフレーム画像Ｆn+1を記憶させ、次のフレーム画像が出力される度に、最古のフレーム画像を削除し、最新のフレーム画像を記憶させる処理を繰り返す。
【００１３】
即ち、バッファメモリ８は、ｎ個のアドレス（フレーム画像を順に記憶するための記憶領域）を有しており、１番目のフレーム画像Ｆ1をアドレス番号（ｎ-１）のアドレス内に、２番目のフレーム画像Ｆ2をアドレス番号（ｎ-２）のアドレス内に、…ｎ番目のフレーム画像Ｆnをアドレス番号０のアドレス内に順次記憶する。そして、ｎ個のアドレス全部にフレーム画像Ｆ1〜Ｆnが記憶され、次のフレーム画像Ｆn+1が出力されると、アドレス番号（ｎ-１）のアドレス内のフレーム画像（即ち最古のフレーム画像）Ｆ1が削除され、フレーム画像Ｆ2〜Ｆnのそれぞれは、アドレス番号（ｎ-２）〜０のアドレス内からアドレス番号（ｎ-１）〜１のアドレス内に移動し、（ｎ＋１）番目のフレーム画像（即ち最新のフレーム画像）Ｆn+1は、アドレス番号（０）のアドレス内に記憶される。よって、アドレス番号（０）のアドレス内には常に最新のフレーム画像が記憶され、アドレス番号が大きくなるに従い、アドレス内には順次古いフレーム画像が記憶され、アドレス
番号０のアドレス内には常に最新のフレーム画像が記憶される。
【００１４】
記録媒体１０は、電子カメラ２に設けられたカードスロット（図示せず）に着脱可能に装着される可搬性を有する記録媒体であり、例えば、ＣＦカード、ＳＤカード、スマートメディア等が用いられる。記録媒体１０には、バッファメモリ８に記憶されているフレーム画像のそれぞれに、制御部４内の動画像生成部５ｂにより動画像用の解像度へのリサイズ（解像度大から小へ）処理、動画像用の画像処理、及び動画像用の圧縮処理を施すことにより作成される動画像データやスローモーション動画像データが記録される。また、記録媒体１０には、バッファメモリ８に記憶されているフレーム画像に、制御部４内の静止画像生成部５ｃにより静止画像用の画像処理、静止画像用の圧縮処理を施すことにより作成される静止画像データや、撮影に関する情報等が記録される。
【００１５】
表示部１２は、電子カメラ２の背面部に配置されるＬＣＤ等により構成されるモニタまたはＥＶＦ等により構成され、スルー画生成部５ａにより生成されたスルー画像、記録媒体１０に記録されている動画像データに基づく動画像、スローモーション動画像データ（以下、スロー動画像データという。）に基づくスロー動画像、静止画像データに基づく静止画像、及び撮影に関する情報等を表示する。
【００１６】
タッチパネル１４は、表示部１２上に表示部１２と同程度の大きさで配置され、操作者の指が表示部１２の画面上に触れるのを検知する。このタッチパネル１４を用いて、動画像を撮影する動画像撮影モードやスロー動画像を撮影するスローモーション動画像撮影モード等の撮影モードの設定、動画像や静止画像の撮影の開始指示、記録媒体１０に記録された動画像データや静止画像データを表示部１２に表示させる再生指示等を行う。
【００１７】
この実施の形態に係る電子カメラ２では、撮像素子６から出力され、バッファメモリ８に単位時間に記憶されるフレーム画像の数を示す第１フレームレートより少ない第２フレームレートで再生されるスロー動画像データを生成し、かつ該スロー動画像データを形成する複数のフレーム画像の少なくとも１つのフレーム画像に基づく静止画像データを生成し、生成されたスロー動画像データ及び静止画像データを互いに関連付けて記録媒体１０に記録する。
【００１８】
以下、図３に示すフローチャートを参照して、第１の実施の形態に係る電子カメラ２においてスロー動画像及び静止画像を撮影する際の処理について説明する。
【００１９】
なお、この第１の実施の形態では、静止画像データとなるフレーム画像がバッファメモリ８に記憶されたときから第１所定時間前までの間にバッファメモリ８に記憶された複数のフレーム画像、及び静止画像データとなるフレーム画像がバッファメモリ８に記憶された後から第２所定時間後までの間にバッファメモリ８に記憶された複数のフレーム画像に基づいて、スロー動画像データを生成する。即ち、所定時間（第１所定時間＋第２所定時間）の間にバッファメモリ８に記憶された複数のフレーム画像に基づいてスロー動画像データを生成し、第１所定時間終了時（第２所定時間開始時）にバッファメモリ８に記憶されたフレーム画像に基づいて静止画像データを生成する。なお、所定時間（例えば１秒等）、第１所定時間（例えば０．６秒等）、及び第２所定時間（例えば０．４秒等）は、予め設定され、図示しないメモリ等に記憶されており、変更可能に構成されている。
【００２０】
ユーザがタッチパネル１４を操作することによりスローモーション動画像撮影モードが設定されると、制御部４は、スロー動画像及び静止画像を撮影するためのスローモーション動画像モードに移行する（ステップＳ１）。これにより表示部１２においては、スルー画像生成部５ａにより生成されたスルー画像データに基づくスルー画像の表示が開始される。
【００２１】
制御部４は、タッチパネル１４においてユーザによる１度目のタッチ操作（１ｓｔタッチ）が検出された場合に（ステップＳ２）、スロー動画像の生成指示がなされたと判断し、スルー画像内の主要被写体を検出し（ステップＳ３）、主要被写体に合焦するように、図示しないフォーカスレンズ等を駆動する。ここで、制御部４は、１度目のタッチ操作として、例えば、ユーザがタッチパネル１４において意図する被写体を囲む操作等のユーザが意図する被写体を指定するタッチ操作を検出する。ユーザが意図する被写体を指定する操作が行われた場合には、制御部４はスルー画像内でユーザが指定した被写体を主要被写体として検出し、主要被写体に対して合焦するように、図示しないフォーカスレンズ等を駆動する。
【００２２】
そして制御部４は、主要被写体に対して合焦した状態でバッファメモリ８へのバッファリング、即ちフレーム画像の取り込み（プリキャプチャ）を開始する（ステップＳ４）。
【００２３】
具体的には、上述したように撮像素子６から動画像サイクルに同期して出力される撮像信号に基づく複数のフレーム画像Ｆ1…Ｆn…（図２参照）の、バッファメモリ８内の所定アドレスへの記憶を開始する。
【００２４】
次に、第１所定時間経過後であって、バッファメモリ８へのフレーム画像の記憶を繰り返している最中に、タッチパネル１４においてユーザによる２度目のタッチ操作（２ｎｄタッチ）が検出された場合に（ステップＳ５）、制御部４は、静止画像データの生成を指示する静止画像撮影指示が入力されたと判断し、第２所定時間の計測を開始する。ここで、制御部４は２度目のタッチ操作としては、特に制限はなく、例えば、タッチパネル１４の何れの場所におけるタッチ操作でもユーザによるタッチ操作として検出する。
【００２５】
第２所定時間が経過すると制御部４は、バッファメモリ８へのバッファリングを終了する（ステップＳ６）。このとき、バッファメモリ８には図２（ａ）に示すように静止画像撮影指示の入力時ＴＳから第１所定時間前までの間の（ｎ-ｐ）枚（ｐは自然数、ｎ＞ｐ）のフレーム画像Ｆ2〜Ｆ5…、及び静止画像撮影指示の入力時ＴＳから第２所定時間後までの間のｐ枚のフレーム画像…Ｆn，Ｆn+1が記憶されている。これらｎ枚のフレーム画像Ｆ2〜Ｆn+1は、後述するスロー動画像データの生成に用いられる。
【００２６】
次に、制御部４は、バッファメモリ８に記憶されている複数のフレーム画像に基づいてスロー動画像データの生成処理及び静止画像データの生成処理を実行する（ステップＳ７）。
【００２７】
まず、スロー動画像データの生成処理について説明する。制御部４は、第１フレームレートより少ない第２フレームレート（例えば第１フレームレートの１／２．５である２４フレーム／秒）で、フレーム画像をバッファメモリ８から読み出す。即ち、図２（ａ）に示すように、時間Ｔ1（例えば１／６０秒等）でバッファメモリ８に記憶されているフレーム画像Ｆ2を、図２（ｂ）に示すように、時間Ｔ2（例えば１／２４秒等）でバッファメモリ８から読み出す。そして、読み出されたフレーム画像Ｆ2〜Ｆn+1に対して映像信号処理回路５内の動画像生成部５ｂにより動画像用の解像度へのリサイズ（動画用圧縮処理を含む）を施すことによりスロー動画像データを生成する。なお、上述の第１所定時間、第２所定時間に加えて第２フレームレートの値は、予め設定され、図示しないメモリ等に記憶されており、変更可能に構成されている。
【００２８】
また、制御部４は、２度目のタッチ操作が検出された時に、撮像素子６から出力される撮像信号に基づくフレーム画像に基づいて、静止画像データを生成する。具体的には２度目のタッチ操作が検出された時に、バッファメモリ８に記憶されたフレーム画像をバッフ
ァメモリ８から読み出し、読み出されたフレーム画像に対して制御部４内の静止画像生成部５ｃにより静止画像用の画像処理（静止画像用圧縮処理を含む）を施すことにより静止画像データを生成する。
【００２９】
制御部４は、動画像生成部５ｂにより生成されたスロー動画像データと、静止画像生成部５ｃにより生成された静止画像データとを関連付けて記録媒体１０に記録する（ステップＳ８）。
【００３０】
なお、上述の実施の形態において、１度目のタッチ操作が検出された後であって、２度目のタッチ操作が検出される前に、ユーザがタッチパネル１４において任意の領域を囲む操作等の１度目のタッチ操作と同一の操作を行った場合には、制御部４は、バッファメモリ８へのフレーム画像の記憶を中止させてもよい。このとき、制御部４は、バッファメモリ８に記憶されていたフレーム画像を消去する。
【００３１】
さらに、このとき、制御部４は、１度目のタッチ操作と同一の操作が検出された場合に、ユーザが新たな被写体を指定したと判断してもよい。ここで、タッチ操作の種類としては、タップ、ダブルタップ、長押し、スライド、スワイプ、タッチパネル１４において指で丸や四角等を描くことにより被写体を囲む操作等が挙げられる。例えば、１度目のタッチ操作と同一の操作として、ユーザが意図する新たな被写体を囲む操作が検出されると、制御部４は、スルー画像内でユーザが指定した新たな被写体を主要被写体として検出し、主要被写体に対して合焦するように、図示しないフォーカスレンズ等を駆動する。その後、制御部４はステップＳ４の処理と同様にフレーム画像の取り込みを開始し、ステップＳ５〜Ｓ８に示す処理を行う。
【００３２】
次に、本発明の第２の実施の形態に係る撮像装置としての電子カメラについて説明する。なお、この第２の実施の形態に係る電子カメラ２は、第１の実施の形態に係る電子カメラ２と同一の構成を有しているため、その説明を省略し、同一の構成に同一の符号を用いて説明を行う。
【００３３】
以下、図４に示すフローチャートを参照して、この第２の実施の形態に係る電子カメラ２においてスロー動画像及び静止画像を撮影する際の処理について説明する。なお、この第２の実施の形態では、上述の第１の実施の形態と同様のスロー動画像データ及び静止画像データを生成する。
【００３４】
表示部１２においてスルー画像生成部５ａにより生成されたスルー画像データに基づくスルー画像が表示されているときに、タッチパネル１４においてユーザによる１度目のタッチ操作（１ｓｔタッチ）として、所定の操作が検出された場合に（ステップＳ１１）、制御部４は、スローモーション動画像撮影モードを設定し、スロー動画像及び静止画像を撮影するためのスローモーション動画像モードに移行する（ステップＳ１２）。また、このとき制御部４は、スルー画像内でユーザが特定の操作によって指定した被写体を主要被写体として検出する（ステップＳ１３）。さらに、制御部４は、検出された主要被写体に合焦するように、図示しないフォーカスレンズ等を駆動する。
【００３５】
ここで、所定の操作とは、例えば、ユーザがタッチパネル１４において意図する被写体を囲む操作、被写体上を長押しする操作、被写体上をダブルタップする操作等の被写体を指定する特定の操作である。
【００３６】
そして制御部４は、主要被写体に対して合焦した状態でバッファメモリ８へのバッファリング、即ちフレーム画像の取り込み（プリキャプチャ）を開始する（ステップＳ１４）。この第２の実施の形態におけるフレーム画像の取り込みは、第１の実施の形態と同様で
あるため詳細な説明は省略する。
【００３７】
次に、第１所定時間経過後であって、バッファメモリ８へのフレーム画像の記憶を繰り返している最中に、タッチパネル１４においてユーザによる２度目のタッチ操作（２ｎｄタッチ）が検出された場合に（ステップＳ１５）、制御部４は、静止画像データの生成を指示する静止画像撮影指示が入力されたと判断し、第２所定時間の計測を開始する。また、第２所定時間が経過すると制御部４は、バッファメモリ８へのバッファリングを終了する（ステップＳ１６）。そして、制御部４は、バッファメモリ８に記憶されている複数のフレーム画像に基づいてスロー動画像データの生成処理及び静止画像データの生成処理を実行する（ステップＳ１７）。これらのステップＳ１５〜Ｓ１７における処理は、図３に示すステップＳ５〜Ｓ７における処理とそれぞれ同様であるため、詳細な説明は省略する。
【００３８】
そして、制御部４は、動画像生成部５ｂにより生成されたスロー動画像データと、静止画像生成部５ｃにより生成された静止画像データとを関連付けて記録媒体１０に記録する（ステップＳ１８）。
【００３９】
次に、本発明の第３の実施の形態に係る撮像装置としての電子カメラについて説明する。なお、この第３の実施の形態に係る電子カメラ２は、第１の実施の形態に係る電子カメラ２において設定されるスロー動画像撮影モードをベストショット画像撮影モードに変更したものである。従って、上述の電子カメラ２と同一の構成についての詳細な説明は省略し、異なる部分のみについて詳細に説明する。また、上述の電子カメラ２の構成と同一の構成には同一の符号を付して説明する。
【００４０】
図１に示すように電子カメラ２は制御部４を備え、制御部４は、映像信号処理回路５を有する。また、映像信号処理回路５は、スルー画像生成部５ａ、動画像生成部５ｂ及び静止画像生成部５ｃを有している。また、制御部４には、撮像素子６、バッファメモリ８、記録媒体１０、表示部１２及びタッチパネル１４が接続されている。
【００４１】
タッチパネル１４は、動画像を撮影する動画像撮影モードや複数のフレーム画像から少なくとも１つ（例えば１つや５つ等）のフレーム画像をベストショット画像として選択するベストショット画像撮影モード等の撮影モードの設定、動画像や静止画像の撮影の開始指示、記録媒体１０に記録された動画像データや静止画像データを表示部１２に表示させる再生指示等を行う。
【００４２】
なお、この第３の実施の形態では、２度目のタッチ操作が検出されたときから第１所定時間前までの間にバッファメモリ８に記憶された複数のフレーム画像、及び２度目のタッチ操作が検出された後から第２所定時間後までの間にバッファメモリ８に記憶された複数のフレーム画像に基づいて、少なくとも１つの静止画像データを生成する。即ち、所定時間（第１所定時間＋第２所定時間）の間にバッファメモリ８に記憶された複数のフレーム画像から、あらかじめ決められた評価値を用いて評価することにより、少なくとも１つのフレーム画像を選択し、選択されたフレーム画像に基づいて静止画像データを生成する。なお、所定時間（例えば１秒等）、第１所定時間（例えば０．６秒等）、及び第２所定時間（例えば０．４秒等）は、予め設定され、図示しないメモリ等に記憶されており、変更可能に構成されている。
【００４３】
以下、図５に示すフローチャートを参照して、第３の実施の形態に係る電子カメラ２において静止画像を撮影する際の処理について説明する。
【００４４】
ユーザがタッチパネル１４を操作することによりベストショット画像撮影モードが設定
されると、制御部４は、ベストショット画像撮影モードに移行する（ステップＳ２１）。これにより表示部１２においては、スルー画像生成部５ａにより生成されたスルー画像データに基づくスルー画像の表示が開始される。
【００４５】
制御部４は、タッチパネル１４においてユーザによる１度目のタッチ操作（１ｓｔタッチ）が検出された場合に（ステップＳ２２）、ベストショット画像の生成指示がなされたと判断する。ここで、制御部４は、１度目のタッチ操作として、例えば、ユーザがタッチパネル１４において意図する被写体を囲む操作等のユーザが意図する被写体を指定するタッチ操作を検出する。ユーザが意図する被写体を指定する操作が行われた場合には、制御部４はスルー画像内でユーザが指定した被写体を主要被写体として検出し（ステップＳ２３）、主要被写体に対して合焦するように、図示しないフォーカスレンズ等を駆動する。
【００４６】
そして制御部４は、主要被写体に対して合焦した状態でバッファメモリ８へのバッファリング、即ちフレーム画像の取り込み（プリキャプチャ）を開始する（ステップＳ２４）。この第３の実施の形態におけるフレーム画像の取り込みは、第１の実施の形態と同様であるため詳細な説明は省略する。
【００４７】
次に、第１所定時間経過後であって、バッファメモリ８へのフレーム画像の記憶を繰り返している最中に、タッチパネル１４においてユーザによる２度目のタッチ操作（２ｎｄタッチ）が検出された場合に（ステップＳ２５）、制御部４は、静止画像データの生成を指示する静止画像撮影指示が入力されたと判断し、第２所定時間の計測を開始する。また、第２所定時間が経過すると制御部４は、バッファメモリ８へのバッファリングを終了する（ステップＳ２６）。これらのステップＳ２５及びＳ２６における処理は、図３に示すステップＳ５及びＳ６における処理とそれぞれ同様であるため、詳細な説明は省略する。
【００４８】
次に、制御部４は、バッファメモリ８に記憶されている複数のフレーム画像に基づいてベストショット画像としての静止画像データの生成処理を実行する（ステップＳ２７）。
【００４９】
ベストショット画像としての静止画像データ生成処理は、公知のベストショット画像の選択処理方法を用いればよいため、詳細な説明は省略するが、バッファメモリ８に記憶されている複数のフレーム画像のそれぞれを解析して、一般的に良いと評価される画像が自動的に選択されるように評価値が算出される。例えば、手ブレ量が大きい画像の評価値や、人物が目を閉じている画像は、評価値が低く算出され、ベストショット画像として選択されにくくなっている。制御部４は、バッファメモリ８に記憶されている複数のフレーム画像の中から、ベストショット画像選択のために算出された評価値が高い方から所定の数の画像をベストショット画像として選択する。また、選択されたフレーム画像に対して制御部４内の静止画像生成部５ｃにより静止画像用の画像処理（静止画像用圧縮処理を含む）を施すことにより静止画像データを生成する。
【００５０】
制御部４は、静止画像生成部５ｃにより生成された静止画像データを記録媒体１０に記録する（ステップＳ２８）。
【００５１】
次に、本発明の第４の実施の形態に係る撮像装置としての電子カメラについて説明する。なお、この第４の実施の形態に係る電子カメラ２は、第１の実施の形態に係る電子カメラ２において設定されるスロー動画像撮影モードをスロービュー撮影に変更したものである。従って、上述の電子カメラ２と同一の構成についての詳細な説明は省略し、異なる部分のみについて詳細に説明する。また、上述の電子カメラ２の構成と同一の構成には同一の符号を付して説明する。
【００５２】
図１に示すように電子カメラ２は制御部４を備え、制御部４は、映像信号処理回路５を
有する。また、映像信号処理回路５は、スルー画像生成部５ａ、動画像生成部５ｂ及び静止画像生成部５ｃを有している。また、制御部４には、撮像素子６、バッファメモリ８、記録媒体１０、表示部１２及びタッチパネル１４が接続されている。
【００５３】
タッチパネル１４は、動画像を撮影する動画像撮影モードやスロービュー撮影モード等の撮影モードの設定、動画像や静止画像の撮影の開始指示、記録媒体１０に記録された動画像データや静止画像データを表示部１２に表示させる再生指示等を行う。
【００５４】
なお、この第４の実施の形態では、スロービュー撮影モードにおいて、第１のタッチ操作が検出された後から第３所定時間後までの間にバッファメモリ８に記憶された複数のフレーム画像に基づいて、スロー動画像データを生成し、第２のタッチ操作が検出されるまでスロー動画像を表示部１２に繰り返し表示する。そして、第２のタッチ操作が検出されたときに表示部１２に表示されているフレーム画像に基づいて静止画像データを生成する。なお、第３所定時間（例えば１．３秒や１秒等）は、予め設定され、図示しないメモリ等に記憶されており、変更可能に構成されている。また、スロー動画像データは第１の実施の形態と同様に生成することができる。
【００５５】
以下、図６に示すフローチャートを参照して、第４の実施の形態に係る電子カメラ２において静止画像を撮影する際の処理について説明する。
【００５６】
ユーザがタッチパネル１４を操作することによりスロービュー撮影モードが設定されると、制御部４は、スロービュー撮影モードに移行する（ステップＳ３１）。これにより表示部１２においては、スルー画像生成部５ａにより生成されたスルー画像データに基づくスルー画像の表示が開始される。
【００５７】
制御部４は、タッチパネル１４においてユーザによる１度目のタッチ操作（１ｓｔタッチ）が検出された場合に（ステップＳ３２）、スロービュー撮影の開始指示がなされたと判断する。ここで、制御部４は、１度目のタッチ操作として、例えば、ユーザがタッチパネル１４において意図する被写体を囲む操作等のユーザが意図する被写体を指定するタッチ操作を検出する。ユーザが意図する被写体を指定する操作が行われた場合には、制御部４はスルー画像内でユーザが指定した被写体を主要被写体として検出し（ステップＳ３３）、主要被写体に対して合焦するように、図示しないフォーカスレンズ等を駆動する。
【００５８】
そして制御部４は、主要被写体に対して合焦した状態でバッファメモリ８へのバッファリング、即ちフレーム画像の取り込み（プリキャプチャ）を開始し（ステップＳ３４）、第３所定時間の計測を開始する。なお、制御部４はフレーム画像の取り込みを行っている間は主要被写体に合焦した状態で、即ち主要被写体に追従して、フレーム画像の取り込みを行う。
【００５９】
具体的には、上述したように撮像素子６から動画像サイクルに同期して出力される撮像信号に基づく複数のフレーム画像Ｆ1…Ｆn…（図２参照）の、バッファメモリ８内の所定アドレスへの記憶を開始する。
【００６０】
次に、第３所定時間経過が経過すると制御部４は、バッファメモリ８へのバッファリングを終了する（ステップＳ３５）。そして、制御部４は、バッファメモリ８に記憶されている複数のフレーム画像に基づいてスロー動画像データの生成処理を実行する（ステップＳ３６）。なお、スロー動画像データの生成処理は、第１の実施の形態における処理と同様であるため、詳細な説明は省略する。
【００６１】
スロー動画像データを生成すると、タッチパネル１４においてユーザによる２度目のタ
ッチ操作（２ｎｄタッチ）が検出されるまでの間、制御部４は表示部１２にスロー動画像の再生を行う（ステップＳ３７）。ここで、スロー動画像の再生が終了するまでに２度目のタッチ操作が検出されない場合には、制御部４は２度目のタッチ操作が検出されるまでの間スロー動画像の再生を繰り返す。
【００６２】
タッチパネル１４においてユーザによる２度目のタッチ操作（２ｎｄタッチ）が検出されると（ステップＳ３８）、制御部４は、静止画像データの生成を指示する静止画像生成指示が入力されたと判断し、２度目のタッチ操作が検出されたときに表示部１２に表示されているフレーム画像に基づく静止画像データを生成する（ステップＳ３９）。ここで、制御部４は２度目のタッチ操作としては、タッチパネル１４の何れの場所におケルタッチでもユーザによるタッチ操作として検出する。
【００６３】
また、静止画像データの生成処理は、２度目のタッチ操作が検出されたときに表示部１２に表示されているフレーム画像に対して制御部４内の静止画像生成部５ｃにより静止画像用の画像処理（静止画像用圧縮処理を含む）を施すことにより行われる。
【００６４】
制御部４は、静止画像生成部５ｃにより生成された静止画像データを記録媒体１０に記録する（ステップＳ４０）。
【００６５】
上述の各実施の形態に係る電子カメラによれば、プリキャプチャ機能を用いた撮影をタッチ操作により行うことができる。また、タッチ操作により主要被写体を選択することができるため、ユーザが意図する被写体を主要被写体として直感的かつ、迅速に、さらに間違いがなく指定することができる。
【００６６】
また、タッチパネルにおけるユーザによるタップ等のタッチ操作が検出された場合に静止画像撮影指示が入力されたと判断する場合に、プリキャプチャ機能を有しない電子カメラの場合には、タッチ操作が検出されてから静止画像データを生成するためのフレーム画像を取り込むまでのタイムラグが発生することがあった。即ち、ユーザの指が数ピクセルの範囲にとどまって、かつ、所定時間以内に離れるタッチ操作を静止画像撮影指示と判断するため、このようなタイムラグが発生することがあった。従って、ユーザの意図しないタイミングでの静止画像撮影が行われる場合があった。上述の実施の各形態に係る電子カメラの場合にはプリキャプチャ機能を有するため、このようなタイムラグの発生を防ぐことができる。
【００６７】
なお、上述の各実施の形態においては、タッチ操作によりスローモーション動画像撮影モード、ベストショット画像撮影モード及びスロービュー撮影モードをそれぞれ設定する構成としたが、電子カメラ２がこれらの撮影モードを設定するためのモードダイヤルを備える場合にはモードダイヤルによりこれらの撮影モードを設定する構成としてもよい。
【００６８】
また上述の第３、第４の実施の形態においては、所定の記録用画像を作成するモードを設定した後のタッチパネルの１回目のタッチ操作によりフレーム画像のバファリングを開始しているが、タッチパネルの１回目のタッチ操作により、所定の記録用画像を作成するモードを設定し、フレーム画像のバファリングを開始するようにしても良い。
【符号の説明】
【００６９】
２…電子カメラ、４…制御部、５…映像信号処理回路、５ａ…スルー画像生成部、５ｂ…動画像生成部、５ｃ…静止画像生成部、６…撮像素子、８…バッファメモリ、１０…記録媒体、１２…表示部、１４…タッチパネル
【図１】
2019176487.tif 000003
【図２】
2019176487.tif 000004
【図３】
2019176487.tif 000005
【図４】
2019176487.tif 000006
【図５】
2019176487.tif 000007
【図６】
2019176487.tif 000008